【手続補正書】
【提出日】平成17年12月12日(2005.12.12)
【手続補正１】
【補正対象書類名】明細書
【補正対象項目名】特許請求の範囲
【補正方法】変更
【補正の内容】
【特許請求の範囲】
【請求項１】  時刻要素のうち、少なくとも月、日、時、分および秒の要素を含む時刻データを記憶する記憶手段と、
外部から送信された時刻データを受信する受信手段と、
この受信手段による受信時刻データの時刻要素に月または日が含まれているか否かを判断する時刻要素判断手段と、
この時刻要素判断手段によって前記受信時刻データの時刻要素に月または日が含まれていないと判断されると、前記記憶手段に記憶されている時刻データのうちの時要素と、前記受信時刻データのうちの時の時要素とを比較し、この比較の結果に基づいて、前記記憶されている時刻データの日を１日進めるか１日戻すかを制御する時刻要素制御手段と、
を備えることを特徴とする時刻補正装置。
【請求項２】  時刻要素のうち、少なくとも年、月、日、時、分および秒の要素を含む時刻データを記憶する記憶手段と、
外部から送信された時刻データを受信する受信手段と、
この受信手段による受信時刻データの時刻要素に年が含まれているか否かを判断する時刻要素判断手段と、
この時刻要素判断手段によって前記受信時刻データの要素に年が含まれていないと判断されると、前記記憶手段に記憶されている時刻データのうちの月要素と、前記受信時刻データのうちの月要素とを比較し、この比較の結果に基づいて、前記記憶されている時刻データの年を１年進めるか１年戻すかを制御する時刻要素制御手段と、
を備えることを特徴とする時刻補正装置。
【請求項３】 時刻要素のうち、少なくとも月、日、時、分および秒の要素を含む時刻データを記憶する記憶手段と、
外部から送信された時刻データを受信する受信手段と、
この受信手段による受信時刻データの時刻要素に月または日が含まれているか否かを判断する時刻要素判断手段と、
この時刻要素判断手段によって前記受信時刻データの時刻要素に月または日が含まれていると判断されると、前記記憶手段に記憶されている時刻データのうちの時要素と、前記受信時刻データのうちの時の時要素とを比較し、この比較の結果に基づいて、前記記憶されている時刻データのうち、日の要素部分はそのままにし、時、分、秒の要素部分は前記受信時刻データの時、分、秒の要素に補正制御する時刻要素制御手段と、
を備えることを特徴とする時刻補正装置。
【請求項４】  時刻要素のうち、少なくとも年、月、日、時、分および秒の要素を含む時刻データを記憶する記憶手段と、
外部から送信された時刻データを受信する受信手段と、
この受信手段による受信時刻データの時刻要素に年が含まれているか否かを判断する時刻要素判断手段と、
この時刻要素判断手段によって前記受信時刻データの要素に年が含まれていると判断されると、前記記憶手段に記憶されている時刻データのうちの月要素と、前記受信時刻データのうちの月要素とを比較し、この比較の結果に基づいて、前記記憶されている時刻データのうち、年の要素部分はそのままにし、月、日、時、分、秒の要素部分は前記受信時刻データの月、日、時、分、秒の要素に補正制御する時刻要素制御手段と、
を備えることを特徴とする時刻補正装置。
【請求項５】  時刻要素のうち、少なくとも月、日、時、分および秒の要素を含む時刻データを記憶する記憶手段と外部から送信された時刻データを受信する受信手段とを備えている時刻補正装置に用いられる時刻補正方法において、
前記受信手段による受信時刻データの時刻要素に月または日が含まれているか否かを判断する時刻要素判断ステップと、
この時刻要素判断ステップによって前記受信時刻データの時刻要素に月または日が含まれていないと判断されると、前記記憶手段に記憶されている時刻データのうちの時要素と、前記受信時刻データのうちの時の時要素とを比較し、この比較の結果に基づいて、前記記憶されている時刻データの日を１日進めるか１日戻すかを制御する時刻要素制御ステップと、
を備えることを特徴とする時刻補正方法。
【請求項６】  時刻要素のうち、少なくとも年、月、日、時、分および秒の要素を含む時刻データを記憶する記憶手段と外部から送信された時刻データを受信する受信手段とを備えている時刻補正装置に用いられる時刻補正方法において、
前記受信手段による受信時刻データの時刻要素に年が含まれているか否かを判断する時刻要素判断ステップと、
この時刻要素判断ステップによって前記受信時刻データの要素に年が含まれていないと判断されると、前記記憶手段に記憶されている時刻データのうちの月要素と、前記受信時刻データのうちの月要素とを比較し、この比較の結果に基づいて、前記記憶されている時刻データの年を１年進めるか１年戻すかを制御する時刻要素制御ステップと、
を備えることを特徴とする時刻補正方法。
【請求項７】 時刻要素のうち、少なくとも月、日、時、分および秒の要素を含む時刻データを記憶する記憶手段と外部から送信された時刻データを受信する受信手段とを備えている時刻補正装置に用いられる時刻補正方法において、
前記受信手段による受信時刻データの時刻要素に月または日が含まれているか否かを判断する時刻要素判断ステップと、
この時刻要素判断ステップによって前記受信時刻データの時刻要素に月または日が含まれていると判断されると、前記記憶手段に記憶されている時刻データのうちの時要素と、前記受信時刻データのうちの時の時要素とを比較し、この比較の結果に基づいて、前記記憶されている時刻データのうち、日の要素部分はそのままにし、時、分、秒の要素部分は前記受信時刻データの時、分、秒の要素に補正制御する時刻要素制御ステップと、
を備えることを特徴とする時刻補正方法。
【請求項８】 時刻要素のうち、少なくとも年、月、日、時、分および秒の要素を含む時刻データを記憶する記憶手段と外部から送信された時刻データを受信する受信手段とを備えている時刻補正装置に用いられる時刻補正方法において、
前記受信手段による受信時刻データの時刻要素に年が含まれているか否かを判断する時刻要素判断ステップと、
この時刻要素判断ステップによって前記受信時刻データの要素に年が含まれていると判断されると、前記記憶手段に記憶されている時刻データのうちの月要素と、前記受信時刻データのうちの月要素とを比較し、この比較の結果に基づいて、前記記憶されている時刻データのうち、年の要素部分はそのままにし、月、日、時、分、秒の要素部分は前記受信時刻データの月、日、時、分、秒の要素に補正制御する時刻要素制御ステップと、
を備えることを特徴とする時刻補正方法。
【手続補正２】
【補正対象書類名】明細書
【補正対象項目名】０００１
【補正方法】変更
【補正の内容】
【０００１】
【発明の属する技術分野】
本発明は、外部より送信される時刻データを受信して、記憶している時刻データを補正する時刻補正装置及び時刻補正方法に関する。
【手続補正３】
【補正対象書類名】明細書
【補正対象項目名】０００８
【補正方法】変更
【補正の内容】
【０００８】
【課題を解決するための手段】
前記課題を解決するために、請求項１記載の発明にかかる時刻補正装置にあっては、時刻要素のうち、少なくとも月、日、時、分および秒の要素を含む時刻データを記憶する記憶手段（図２、図3のRAM１０）と、外部から送信された時刻データを受信する受信手段（図５のＳ１０１）と、この受信手段による受信時刻データの時刻要素に月または日が含まれているか否かを判断する時刻要素判断手段（図２のCPU８；図５のＳ１０２）と、この時刻要素判断手段によって前記受信時刻データの時刻要素に月または日が含まれていないと判断されると、前記記憶手段に記憶されている時刻データのうちの時要素と、前記受信時刻データのうちの時の時要素とを比較し、この比較の結果に基づいて、前記記憶されている時刻データの日を１日進めるか１日戻すかを制御する時刻要素制御手段（図２のCPU８；図５のＳ１０５、Ｓ１０８）と、を備えることを特徴とする。
【手続補正４】
【補正対象書類名】明細書
【補正対象項目名】０００９
【補正方法】変更
【補正の内容】
【０００９】
請求項２記載の発明にかかる時刻補正装置にあっては、時刻要素のうち、少なくとも年、月、日、時、分および秒の要素を含む時刻データを記憶する記憶手段（図２、図3のRAM１０）と、外部から送信された時刻データを受信する受信手段（図６のＳ２０１）と、この受信手段による受信時刻データの時刻要素に年が含まれているか否かを判断する時刻要素判断手段（図２のCPU８；図６のＳ２０２）と、この時刻要素判断手段によって前記受信時刻データの要素に年が含まれていないと判断されると、前記記憶手段に記憶されている時刻データのうちの月要素と、前記受信時刻データのうちの月要素とを比較し、この比較の結果に基づいて、前記記憶されている時刻データの年を１年進めるか１年戻すかを制御する時刻要素制御手段（図２のCPU８；図６のＳ２０５、Ｓ２０８）と、を備えることを特徴とする。
【手続補正５】
【補正対象書類名】明細書
【補正対象項目名】００１０
【補正方法】変更
【補正の内容】
【００１０】
請求項３記載の発明にかかる時刻補正装置にあっては、時刻要素のうち、少なくとも月、日、時、分および秒の要素を含む時刻データを記憶する記憶手段（図２、図3のRAM１０）と、外部から送信された時刻データを受信する受信手段（図５のＳ１０１）と、この受信手段による受信時刻データの時刻要素に月または日が含まれているか否かを判断する時刻要素判断手段（図２のCPU８；図５のＳ１０２）と、この時刻要素判断手段によって前記受信時刻データの時刻要素に月または日が含まれていると判断されると、前記記憶手段に記憶されている時刻データのうちの時要素と、前記受信時刻データのうちの時の時要素とを比較し、この比較の結果に基づいて、前記記憶されている時刻データのうち、日の要素部分はそのままにし、時、分、秒の要素部分は前記受信時刻データの時、分、秒の要素に補正制御する時刻要素制御手段（図２のCPU８；Ｓ１０９）と、を備えることを特徴とする。
【手続補正６】
【補正対象書類名】明細書
【補正対象項目名】００１１
【補正方法】変更
【補正の内容】
【００１１】
請求項４記載の発明にかかる時刻補正装置にあっては、時刻要素のうち、少なくとも年、月、日、時、分および秒の要素を含む時刻データを記憶する記憶手段（図２、図3のRAM１０）と、外部から送信された時刻データを受信する受信手段（図６のＳ２０１）と、この受信手段による受信時刻データの時刻要素に年が含まれているか否かを判断する時刻要素判断手段（図６のＳ２０２）と、この時刻要素判断手段によって前記受信時刻データの要素に年が含まれていると判断されると、前記記憶手段に記憶されている時刻データのうちの月要素と、前記受信時刻データのうちの月要素とを比較し、この比較の結果に基づいて、前記記憶されている時刻データのうち、年の要素部分はそのままにし、月、日、時、分、秒の要素部分は前記受信時刻データの月、日、時、分、秒の要素に補正制御する時刻要素制御手段（図２のCPU８；図６のＳ２０９）と、を備えることを特徴とする。
【手続補正７】
【補正対象書類名】明細書
【補正対象項目名】００１２
【補正方法】変更
【補正の内容】
【００１２】
請求項５記載の発明にかかる時刻補正方法にあっては、時刻要素のうち、少なくとも月、日、時、分および秒の要素を含む時刻データを記憶する記憶手段（図２、図3のRAM１０）と外部から送信された時刻データを受信する受信手段（図５のＳ１０１）とを備えている時刻補正装置に用いられる時刻補正方法において、前記受信手段による受信時刻データの時刻要素に月または日が含まれているか否かを判断する時刻要素判断ステップ（図２のCPU８；図５のＳ１０２）と、この時刻要素判断ステップによって前記受信時刻データの時刻要素に月または日が含まれていないと判断されると、前記記憶手段に記憶されている時刻データのうちの時要素と、前記受信時刻データのうちの時の時要素とを比較し、この比較の結果に基づいて、前記記憶されている時刻データの日を１日進めるか１日戻すかを制御する時刻要素制御ステップ（図２のCPU８；図５のＳ１０５、Ｓ１０８）と、を備えることを特徴とする。
【手続補正８】
【補正対象書類名】明細書
【補正対象項目名】００１３
【補正方法】変更
【補正の内容】
【００１３】
請求項６記載の発明にかかる時刻補正方法にあっては、時刻要素のうち、少なくとも年、月、日、時、分および秒の要素を含む時刻データを記憶する記憶手段（図２、図3のRAM１０）と外部から送信された時刻データを受信する受信手段（図６のＳ２０１）とを備えている時刻補正装置に用いられる時刻補正方法において、前記受信手段による受信時刻データの時刻要素に年が含まれているか否かを判断する時刻要素判断ステップ（図２のCPU８；図６のＳ２０２）と、この時刻要素判断ステップによって前記受信時刻データの要素に年が含まれていないと判断されると、前記記憶手段に記憶されている時刻データのうちの月要素と、前記受信時刻データのうちの月要素とを比較し、この比較の結果に基づいて、前記記憶されている時刻データの年を１年進めるか１年戻すかを制御する時刻要素制御ステップ（図２のCPU８；図６のＳ２０５、Ｓ２０８）と、を備えることを特徴とする。
請求項７記載の発明にかかる時刻補正方法にあっては、時刻要素のうち、少なくとも月、日、時、分および秒の要素を含む時刻データを記憶する記憶手段（図２、図3のRAM１０）と外部から送信された時刻データを受信する受信手段（図５のＳ１０１）とを備えている時刻補正装置に用いられる時刻補正方法において、前記受信手段による受信時刻データの時刻要素に月または日が含まれているか否かを判断する時刻要素判断ステップ（図２のCPU８；図５のＳ１０２）と、この時刻要素判断ステップによって前記受信時刻データの時刻要素に月または日が含まれていると判断されると、前記記憶手段に記憶されている時刻データのうちの時要素と、前記受信時刻データのうちの時の時要素とを比較し、この比較の結果に基づいて、前記記憶されている時刻データのうち、日の要素部分はそのままにし、時、分、秒の要素部分は前記受信時刻データの時、分、秒の要素に補正制御する時刻要素制御ステップ（図２のCPU８；Ｓ１０９）と、を備えることを特徴とする。
請求項８記載の発明にかかる時刻補正方法にあっては、時刻要素のうち、少なくとも年、月、日、時、分および秒の要素を含む時刻データを記憶する記憶手段（図２、図3のRAM１０）と外部から送信された時刻データを受信する受信手段（図６のＳ２０１）とを備えている時刻補正装置に用いられる時刻補正方法において、前記受信手段による受信時刻データの時刻要素に年が含まれているか否かを判断する時刻要素判断ステップ（図６のＳ２０２）と、この時刻要素判断ステップによって前記受信時刻データの要素に年が含まれていると判断されると、前記記憶手段に記憶されている時刻データのうちの月要素と、前記受信時刻データのうちの月要素とを比較し、この比較の結果に基づいて、前記記憶されている時刻データのうち、年の要素部分はそのままにし、月、日、時、分、秒の要素部分は前記受信時刻データの月、日、時、分、秒の要素に補正制御する時刻要素制御ステップ（図２のCPU８；図６のＳ２０９）と、を備えることを特徴とする。
【手続補正９】
【補正対象書類名】明細書
【補正対象項目名】００１４
【補正方法】変更
【補正の内容】
【００１４】
請求項１記載の発明によれば、外部から送信された時刻データを受信し、この受信時刻データの時刻要素に月または日が含まれているか否かを判断した結果、受信時刻データの時刻要素に月または日が含まれていないと判断されると、記憶されている時刻データのうちの時要素と受信時刻データのうちの時の時要素とを比較し、この比較の結果に基づいて、前記記憶されている時刻データの日を１日進めるか１日戻すかを制御することができる。
【手続補正１０】
【補正対象書類名】明細書
【補正対象項目名】００１５
【補正方法】変更
【補正の内容】
【００１５】
請求項２記載の発明によれば、外部から送信された時刻データを受信し、この受信時刻データの時刻要素に年が含まれているか否かを判断した結果、受信時刻データの時刻要素に年が含まれていないと判断されると、記憶されている時刻データのうちの月要素と受信時刻データのうちの月要素とを比較し、この比較の結果に基づいて、前記記憶されている時刻データの年を１年進めるか１年戻すかを制御することができる。
【手続補正１１】
【補正対象書類名】明細書
【補正対象項目名】００１６
【補正方法】変更
【補正の内容】
【００１６】
請求項３記載の発明によれば、外部から送信された時刻データを受信し、この受信時刻データの時刻要素に月または日が含まれているか否かを判断した結果、受信時刻データの時刻要素に月または日が含まれていると判断されると、記憶されている時刻データのうちの時要素と受信時刻データのうちの時の時要素とを比較し、この比較の結果に基づいて、前記記憶されている時刻データのうち、日の要素部分はそのままにし、時、分、秒の要素部分は前記受信時刻データの時、分、秒の要素に補正制御することができる。
【手続補正１２】
【補正対象書類名】明細書
【補正対象項目名】００１７
【補正方法】変更
【補正の内容】
【００１７】
請求項４記載の発明によれば、外部から送信された時刻データを受信し、この受信時刻データの時刻要素に年が含まれているか否かを判断した結果、受信時刻データの時刻要素に年が含まれていると判断されると、記憶されている時刻データのうちの月要素と受信時刻データのうちの月要素とを比較し、この比較の結果に基づいて、前記記憶されている時刻データのうち、年の要素部分はそのままにし、月、日、時、分、秒の要素部分は前記受信時刻データの月、日、時、分、秒の要素に補正制御することができる。
【手続補正１３】
【補正対象書類名】明細書
【補正対象項目名】００１８
【補正方法】変更
【補正の内容】
【００１８】
請求項５から請求項８までに記載の発明によれば、請求項１から請求項４までに記載の発明の場合と同様な効果を奏することができる。
【手続補正１４】
【補正対象書類名】明細書
【補正対象項目名】００４４
【補正方法】変更
【補正の内容】
【００４４】
以上説明したように本発明によれば、以下のような効果を奏することができる。
すなわち、請求項１記載の発明によれば、外部から送信された時刻データを受信し、この受信時刻データの時刻要素に月または日が含まれているか否かを判断した結果、受信時刻データの時刻要素に月または日が含まれていないと判断されると、記憶されている時刻データのうちの時要素と受信時刻データのうちの時の時要素とを比較し、この比較の結果に基づいて、前記記憶されている時刻データの日を１日進めるか１日戻すかを制御することができる。
【手続補正１５】
【補正対象書類名】明細書
【補正対象項目名】００４５
【補正方法】変更
【補正の内容】
【００４５】
また、請求項２記載の発明によれば、外部から送信された時刻データを受信し、この受信時刻データの時刻要素に年が含まれているか否かを判断した結果、受信時刻データの時刻要素に年が含まれていないと判断されると、記憶されている時刻データのうちの月要素と受信時刻データのうちの月要素とを比較し、この比較の結果に基づいて、前記記憶されている時刻データの年を１年進めるか１年戻すかを制御することができる。
【手続補正１６】
【補正対象書類名】明細書
【補正対象項目名】００４６
【補正方法】変更
【補正の内容】
【００４６】
さらに、請求項３記載の発明によれば、外部から送信された時刻データを受信し、この受信時刻データの時刻要素に月または日が含まれているか否かを判断した結果、受信時刻データの時刻要素に月または日が含まれていると判断されると、記憶されている時刻データのうちの時要素と受信時刻データのうちの時の時要素とを比較し、この比較の結果に基づいて、前記記憶されている時刻データのうち、日の要素部分はそのままにし、時、分、秒の要素部分は前記受信時刻データの時、分、秒の要素に補正制御することができる。
また、請求項４記載の発明によれば、外部から送信された時刻データを受信し、この受信時刻データの時刻要素に年が含まれているか否かを判断した結果、受信時刻データの時刻要素に年が含まれていると判断されると、記憶されている時刻データのうちの月要素と受信時刻データのうちの月要素とを比較し、この比較の結果に基づいて、前記記憶されている時刻データのうち、年の要素部分はそのままにし、月、日、時、分、秒の要素部分は前記受信時刻データの月、日、時、分、秒の要素に補正制御することができる。
加えて、請求項５から請求項８までに記載の発明によれば、請求項１から請求項４までに記載の発明の場合と同様な効果を奏することができる。